(57)【要約】【課題】  パターヘッドにボール天頂１０８と整列する事ができる部位（特定部位２０４と呼ぶ）が備わっており、アドレスの際に用いる事で容易にスイートスポット２０７とボールの理想打点１０９が整列され、パッティングしたボール１０１の転がりがよいパターを提供する事。【解決手段】  パターヘッドには特定部位２０４と呼ばれるボール天頂１０８と整列する部位を備えた上、フェース２０５にはボール天頂１０８と特定部位２０４を結んだ水平線から垂直にボール半径である２１．３３５ｍｍの位置にスイートスポット２０７を設計する。ゴルフ競技者はボール天頂１０８と特定部位２０４を整列するだけでパターのスイートスポット２０７とボールの理想打点１０９が整列されるパター。【選択図】図６
2020028697.tif 000002
【特許請求の範囲】
【請求項１】
ゴルフ競技において用いられるパターの先端に備えられるパターヘッドであって、ゴルフボールを打つためにアドレスしたときに、前記ゴルフボール天頂の高さに整列させるための特定部位を有する事を特徴とするパターヘッド。
【請求項２】
前記ゴルフボール天頂に対して、前記特定部位を整列したときにパターヘッドのスイートスポットと前記ゴルフボールの理想打点が整列する事を特徴とする請求項１のパターヘッド。
【請求項３】
アドレスしたときに、前記ゴルフボールの理想打点と前記特定部位におけるゴルフボール側の端末が水平方向に０ｍｍから１２５ｍｍである事を特徴とする請求項１または２のパターヘッド。
【請求項４】
前記特定部位は材質、色、柄、粗度、大きさ、個数、及び形状に制限を受けない請求項１から３のいずれかに記載のパターヘッド。
【請求項５】
前記請求項１から４のいずれかに記載のパターヘッドを備える事を特徴とするパター。
【発明の詳細な説明】
【技術分野】
【０００１】  本願発明は、ゴルフ競技等のパッティングで使用されるゴルフパター（以下、「パター」）に関する。
【背景技術】
【０００２】  パターは、主にパッティンググリーン（以下、「グリーン」という）と呼ばれる場所にてゴルフボール（以下、「ボール」という）を打つ事に用いられる物である。ゴルフにおけるパッティングとは、グリーン上のホール（カップ）という特定の場所にボールを入れる又は近づける目的で行われる。狙いを付けたホール（カップ）に対してパッティングを行う為、競技者が意図した強さ通りにボールを打撃できる事が大切になる。しかしながら意図した強さで打撃する場合にも、フェースのどの個所に当たるかにより、ボールは転がる量が変化する。このフェースのトゥやヒール、フェースの上方や下方に当たるとボールの転がりが意図した距離とズレてしまう事に対して、従来から多くのメーカーが当該問題を課題として技術開発を行っている。（特許文献１）
ゴルフ競技者の間では、意図したパッティングを行う為には、アドレス（ゴルフにおける打撃前の構えの事）のときパターとボールの位置合わせを毎回一定に行うことが肝要であるとの認識が存在する。当認識のもと、既に市場には様々な種類の図２１の点照準１０５や図２２の線照準１０６をパターに施されたものが発売に至っている。【０００３】  ここでパターを打つ手順に合わせて、照準１０５、１０６の役割を説明する。パターを打つ前に、ゴルフ競技者はアドレスを取るが、手順としてパターに施された様々な種類の照準１０５、１０６を使い、ボール１０１に対して、パターを前後（トゥとヒール方向）に整列する。続いて、パターをグリーンより僅かに浮かせた後、パッティング動作に移る。僅かに浮かせるとは図２３のＪの寸法を指しており、１ｍｍから１２ｍｍ程度の量でゴルフ競技の熟練度、または心理状態といった事によりその都度変化してしまう事が大きな問題となる。この一連のアドレスの中でパターを浮かせる動作については、競技者毎に手順や浮かせる量の差はあるが、何れにしてもパターとボールの関係を一定にする為に、パターを同じ浮きの量にする事が良い結果を毎回再現する上で肝要になる。【０００４】  パターを浮かせる目的の一つは、各メーカーが設計したパターにあるスイートスポット（最良の打点）とボールを整列する事である。スイートスポットとは、各メーカーが定めるパッティングの良い結果を生む打点の事で、良い結果の例を挙げると同一パターフェースの中でパッティングしたときに、ボールの到達距離が最長になる、ボールの到達地点のばらつきが最も小さい又は競技者の身体や試験マシンに伝わる衝撃が小さいなどがあり、これらの中の１つ又は複数の項目を満たすものである。先行技術としてパターを浮かせて位置合わせする事を極力省く為に、パターの底面（ソール）にいわゆる上げ底（特許文献２及び３）を取り付けたものが存在する。
【先行技術文献】
【特許文献】
【０００５】
【特許文献１】特開昭６２−２８４６７０号公報
【特許文献２】登録実用新案第３００１０５２号公報
【特許文献３】特開平９−２８５５７９号公報
【発明の概要】
【発明が解決しようとする課題】
【０００６】  図２３の様に一般的にアドレスのときにスイートスポット１０７とボール１０１の理想打点１０９（ボール中心からパタークラブ方向へ向かって、ボール表面に交差する点）を合わせる為には、多くの練習時間をかけグリーン面Ｇからパター１００を浮かせる量が一定になる様に技術を体得する必要がある。これは、トゥ１０３とヒール１０４方向の照準であるパターヘッドに施された点照準１０５や線照準１０６のとは違い、高さ（ソールとクラウン）方向には照準が無いために発生する課題である。一般的なパターのフェース１０２には４度程度のロフト角が設けられているが、アドレスをとったゴルフ競技者から見るとフェース１０２はほとんど見えなく、例えフェース１０２にスイートスポット１０７の位置に目印がついていたとしても、視覚に頼ってボールの理想打点１０９と合わせる事は困難である。【０００７】  ゴルフ競技におけるパッティングのミスとして、パターヘッドのソールと地面が意図せず当たってしまうダフリというものがあるが、原因の一つにグリーンからの浮き量Ｊの値が小さい位置（１〜３ｍｍ程度）に構えてしまう事が挙げられる。グリーン面Ｇに対して、高く構えるよりも低く構える方が地面に近くなるので、ダフリのミスが増える傾向にある。従来あった技術のソール面に上げ底部を設けたもの（特許文献２及び３）は、通常設計の物に比べてパターを構えたときにソール又は上げ底部がグリーン面Ｇに近く、パッティング動作中に僅かな浮き量の沈み込みが発生した際にグリーン表面に接触してしまい意図した強さや方向に打つことができない。この接触の問題は、上げ底を設ける事でごく一般的に市場に出回っているパターよりも、浮き量を減らす事でスイートスポットでの整列を行い易くするといった手段から、一般的なパターに比べて地面に近くなる事を理由に発生してしまう。また、トゥとヒールに重量配分を多く施し、スイートスポットを広げミスヒットに強くしたもの（所謂ピンタイプパターや特許文献１）は、ゴルフに関わる人間にとっては広く知られた事である。しかしながら、トゥとヒール方向の許容性拡大は問題の根本的な解決を対象としておらず、例えフェースのソールからクラウン方向（上下方向）への拡大がされたとしても、アドレスのときにスイートスポットからボールの理想打点がずれていた場合は、ミスヒットになってしまう確率が高い。【０００８】  本願発明は、アドレスのときにパターのスイートスポットとボールの理想打点１０９を高さ方向（ソールとクラウン）に容易に整列する事を目的としている。合わせて本願発明はソール側の構造によるものでは無いため、従来技術（特許文献２及び３）にあったグリーン面との接触も回避できる可能性が高まる。
【課題を解決するための手段】
【０００９】  前記の課題を解決するために、グリーン面とパターのソールに依存しない高さの整列構造を考えた。ボールの理想打点は、ボールの中心から構えたパター方向のボール表面にある。ボールの天頂とパターの高さを整列する事ができれば、ボールの理想打点とパターの任意の場所を整列する事ができると見出した。つまりパターに対して、ボール天頂と高さを合わせる部位（以下、「特定部位」）を設定し、特定部位から２１．３３５ｍｍ（図６のＫ）の個所にパターのスイートスポットを設計及び配置する。ボール天頂と特定部位の高さを合わせた場合、容易にパターのスイートスポットとボールの理想打点の整列が完了する。本願発明は、パターのクラウン部付近に特定部位を設けた上で、ボール天頂と特定部位を競技者視線方向から奥行き方向（パターの高さ方向）に向かって整列する事で、容易にボールの理想打点とパターのスイートスポットが整列されるものである。【００１０】  特定部位とは材質、色、柄、粗度、形状及び大きさを問わずボールの天頂と高さを整列する目印になるものを指す。特定部位はアドレスをしたときに、ボール天頂１０８と高さを一致させる個所を含むものである。特定部位を使っての整列を実現するために、様々な試験片を用いてボールとの整列試験を行った。当方の奥行き判断試験の結果、日中の屋外において人間の目はボール天頂と特定部位の奥行き方向の距離を整列しようとすると、０．８ｍｍ以内の差異で判断できる事を突き止めた。（試験内容については後述）
本願発明はゴルフのアドレス手順の中に組み込めて、パターの特定部位をボール天頂に合わせるだけで図６の如く、競技者本人からは視認し辛いフェースのスイートスポットとボールの理想打点を容易に整列する事ができるものである。従来のパターでは、アドレスの度に０．８ｍｍ以内に高さを整列する事は、高さ方向に整列する目安が無いため大変難しい作業であり、本願発明品がアドレスの際に有利に働く事は明白である。前記のダフリは従来のパターには高さを理想的な位置に揃える目印が備わっていない事が原因の一つとなる。そこで、例えば本願発明品パターの特定部位２０４とボール天頂１０８を揃えた時に、Ｊの値が３ｍｍよりも大きくなるように設計した場合、ボール天頂１０８と特定部位２０４を揃える限りソールの浮き量Ｊは３ｍｍより多く確保される事になる。つまり、高さを合わせる事ができない従来品とソール構造に依存する従来技術（特許文献２及び３）製品の使用時に発生しうるダフリを高い確率で削減することができる事になる。
請求項１の発明は、ゴルフ競技において用いられるパター２００の先端に備えられるパターヘッド２０２であって、ゴルフボール１０１を打つためにアドレスしたときに、前記ゴルフボール天頂１０８の高さに整列させるための特定部位２０４を有するパターヘッドである。請求項２の発明は、前記ゴルフボール天頂１０８に対して、前記特定部位を整列したときにパターヘッドのスイートスポット２０７と前記ゴルフボール１０１の理想打点１０９が整列する請求項１のパターヘッドである。請求項３の発明は、アドレスしたときに、前記ゴルフボールの理想打点と前記特定部位におけるゴルフボール側の端末が水平方向に０ｍｍから１２５ｍｍである請求項１または２のパターヘッドである。請求項４の発明は、前記特定部位は材質、色、柄、粗度、大きさ、個数、及び形状に制限を受けない請求項１から３のいずれかに記載のパターヘッドである。請求項５の発明は、前記請求項１から４のいずれかに記載のパターヘッドを備えたパターである。
【発明の効果】
【００１１】  本願発明を用いたパターを使用すると、ゴルフ競技者はアドレスを行うときに、ボールの天頂と図６の如くパターの特定部位を合わせる事で、容易にボールの理想打点とパターのスイートスポットが正しく整列される。既に述べた前提である、競技者の意図する距離をパッティングするための高さの整列を、本願発明は容易に実現する。
【図面の簡単な説明】
【００１２】
【図１】本願発明において、好ましい実施例のパターの斜視図
【図２】図１のパターの側面図（パターのヒール側からの見た図）
【図３】図１のパターの平面図（ゴルフ競技者のアドレス時の視線方向）
【図４】図１のパターの正面図（ボールを含む）
【図５】図１のパターの後方図（ボールを含む）
【図６】本願発明品のスイートスポットがボールの理想打点と整列される図
【図７】試験片との整列効果を試験する姿勢及び冶具の配置図
【図８】試験用パター及び冶具の拡大図
【図９】寸法Ｌの有効範囲試験用パター図
【図１０】試験片７種を１０名による試験を行った結果表
【図１１】試験片Ａを用いた１０名による距離別試験の結果表
【図１２】図９のＬが０ミリメートルのとき、ピンタイプパターと特定部位を設けたピンタイプパターの２本を用いた、ボール打痕の収束性試験及びボールの到達地点に対する残り距離測定試験の結果表
【図１３】実施例１であり、図１の全体図
【図１４】（ａ）実施例２の斜視図  （ｂ）実施例２の側面図（パターのヒール側から見た図）
【図１５】（ａ）実施例３の斜視図  （ｂ）実施例３の側面図（パターのヒール側から見た図）
【図１６】（ａ）実施例４の斜視図  （ｂ）実施例４の側面図（パターのヒール側から見た図）
【図１７】（ａ）実施例５の斜視図  （ｂ）実施例５の側面図（パターのヒール側から見た図）
【図１８】（ａ）実施例６の斜視図  （ｂ）実施例６の側面図（パターのヒール側から見た図）
【図１９】（ａ）実施例７の斜視図  （ｂ）実施例７の側面図（パターのヒール側から見た図）
【図２０】（ａ）実施例８の斜視図  （ｂ）実施例８の側面図（パターのヒール側から見た図）
【図２１】市場に出回っている点（ドット）照準を施したパターヘッドの参考図
【図２２】市場に出回っている線照準を施したパターヘッドの参考図
【図２３】既存のパターの参考図（パターのトゥ側から見た図）
【発明を実施するための形態】
【実施例１】
【００１３】  次に本発明の実施の形態について図１から図４及び図１３を参照して説明する。本実施の形態のパター２００は、シャフト２０１とパターヘッド２０２とを備えている。
シャフト２０１の一端はパターヘッド２０２に連結され、シャフト２０１の他端にはグリップ２０３が取付られるが、本発明はシャフト２０１の長さ及び形状、グリップ２０３の数などに制限されるものでは無く、一般的に販売されているパター又は長尺パター又は正面打ち用パター（サイドサドルパター）を含むものである。パターヘッド２０２には、特定部位２０４を備えた上で、ボール天頂１０８と特定部位２０４を合わせた場合にスイートスポット２０７とボールの理想打点１０９が整列されるものであれば実施する形態としては好適といえる。【００１４】  パターヘッドは現在市販されているさまざまな形状をもとに特定部位が備えられても良いが、好ましいパターヘッド形状は、図１の様にフェース２０５からテール２０６までの長さがあるもので、特定部位２０４が打球方向に沿ってクラウン２０８側に長く備えられているものである。特定部位２０４は図１の様にゴルフボール１０１と同程度の半径の円柱又は円柱の一部形状をクラウン側に備えている。特定部位２０４は好ましくは暗い色よりも明るい色であり、より好ましくはゴルフボールに使われる白である。円柱又は円柱の一部形状は好ましくはスイートスポット２０７のクラウン２０８側に直上に備えられ、円柱の軸線方向はフェース２０５からテール２０６方向に沿うのが望ましい。【００１５】  特定部位２０４は、ボールのディンプルと同程度の数と深さの窪みを備えたものが望ましい。ゴルフ競技が行われる屋外では、ボールと同様に円筒部にも同じ光源（太陽）から光が当たり、ボールと同様に作られた陰がある状態が高さを整列する上で最も好適と考えられる。これは、当方の試験結果からも試験片Ａが最も優れた結果を示している事からも好適な形状と判断できる。【００１６】  図２のパター２００からシャフト２０１を除く部分をパターヘッド２０２と呼ぶが、ゴルフクラブのルールを規定するＲ＆Ａ及びＵＳＧＡの許可する範囲内で、パターヘッド２０２に対してシャフト２０１はクラウン２０８部に取付されている。このとき、シャフト２０１は特定部位２０４をアドレス時に遮らない状態での取付が望ましい。パターヘッド２０２にはフェース２０５が備わっており、ロフト角はルール内の０度から１０度であり、フェース２０５にはミーリング加工やインサート部材の挿入も可とする。パターヘッド２０２は構造や意匠を工夫し、スイートスポットが特定部位２０４から垂直方向に２１．３３５ｍｍの位置に設計を行う。又は、アルミ等の鉄に対して比重の小さいものでパターヘッド２０２を作成し、タングステンなどの比重の大きいものを用いて適切なスイートスポット設計を行う事が本願発明の効果を発揮する為に重要となる。
【実施例２】
【００１７】  実施例２は図１４の様に特定部位３０４がパターヘッド３０２のもっとも高い部位よりも一段窪んだ平面形状として備えている。特定部位３０４は好ましくは暗い色よりも明るい色であり、より好ましくはゴルフボールに使われる白である。特定部位表面は、極端に滑らかであったり粗かったりしても効果を発揮するが、ゴルフボール程度のパターンに基づいた凹凸状態が望ましい。パターヘッドのフェースの加工、フェースのインサート、ロフト角、及びスイートスポットの設計といった項目は実施例１と同等が好ましい。
【実施例３】
【００１８】  実施例３は図１５の様に実施例１の変形例であり、パターヘッド４０２に備える特定部位４０４が平面形状である。特定部位４０４は好ましくは暗い色よりも明るい色であり、より好ましくはゴルフボールに使われる白である。特定部位表面は、極端に滑らかであったり粗かったりしても効果を発揮するが、ゴルフボール程度のパターンに基づいた凹凸状態が望ましい。パターヘッドのフェースの加工、フェースのインサート、ロフト角、及びスイートスポットの設計といった項目は実施例１と同等が好ましい。
【実施例４】
【００１９】  実施例４は図１６の様に実施例１に対して、パターヘッド５０２に備える特定部位５０４がクラウンに対して凹の一定半径又は半径が変化した曲面形状となっていることが特徴である。特定部位５０４は好ましくは暗い色よりも明るい色であり、より好ましくはゴルフボールに使われる白である。特定部位表面は、極端に滑らかであったり粗かったりではなく、ゴルフボール程度のパターンに基づいた凹凸状態が望ましい。パターヘッドのフェースの加工、フェースのインサート、ロフト角、及びスイートスポットの設計といった項目は実施例１と同等が好ましい。
【実施例５】
【００２０】  実施例５は図１７の様に半球状の特定部位６０４がパターヘッド６０２のクラウンから突出しているものである。半球状の特定部位６０４は半径２１．３３５ｍｍが最も好ましいが、真球ではなくても半径が変化した曲面でもよい。また半球状の特定部位６０４の位置は、スイートスポット６０７を通る打球方向の直上が好ましく、特定部位６０４が可能な限りフェースに近い方がより好ましい。特定部位６０４は好ましくは暗い色よりも明るい色であり、より好ましくはゴルフボールに使われる白である。特定部位表面は、極端に滑らかであったり粗かったりではなく、ゴルフボール程度のパターンに基づいた凹凸状態が望ましい。パターヘッドのフェースの加工、フェースのインサート、ロフト角、及びスイートスポットの設計といった項目は実施例１と同等が好ましい。
【実施例６】
【００２１】  実施例６は図１８の様にパターヘッド７０２に突出した特定部位７０４を備えており、実施例３の特定部位４０４のフェース側とテール側を切り取った形状に近い。特定部位７０４は、複数あっても良いが、１つの方が好ましい。１つの場合は特定部位の位置は、スイートスポット７０７を通る打球方向の直上が好ましく、特定部位の天頂部が可能な限りフェース７０６に近い方がより好ましい。複数の場合は、打球線方向に対して対称の配置が望ましい。特定部位７０４は好ましくは暗い色よりも明るい色であり、より好ましくはゴルフボールに使われる白である。特定部位表面は、極端に滑らかであったり粗かったりではなく、ゴルフボール程度のパターンに基づいた凹凸状態が望ましい。パターヘッドのフェースの加工、フェースのインサート、ロフト角、及びスイートスポットの設計といった項目は実施例１と同等が好ましい。
【実施例７】
【００２２】  実施例７は図１９の様に特定部位８０４がフェース８０６に隣接しておらず、パターヘッド８０２の中央部に貫通孔がある形状である。特定部位８０４はスイートスポット８０７を通る打球方向の直上が好ましいが、図１９の様にパターヘッド８０２中央付近に凹みや貫通孔を作ることはパターヘッド周辺に重量配分しパッティングの方向安定に寄与させる点からも妥当である。特定部位８０４は好ましくは暗い色よりも明るい色であり、より好ましくはゴルフボールに使われる白である。特定部位表面は、極端に滑らかであったり粗かったりではなく、ゴルフボール程度のパターンに基づいた凹凸状態が望ましい。パターヘッドのフェースの加工、フェースのインサート、ロフト角、及びスイートスポットの設計といった項目は実施例１と同等が好ましい。
【実施例８】
【００２３】  実施例８は図２０の様に特定部位９０４がパターヘッド９０２形状と一体化したものである。実施例の特徴としては、従来のマレット型パターと似た形状を有しながらも特定部位９０４を備え容易にスイートスポット９０７とボールの理想打点１０９を整列できる事である。特定部位９０４は好ましくは暗い色よりも明るい色であり、より好ましくはゴルフボールに使われる白である。特定部位表面は、極端に滑らかであったり粗かったりではなく、ゴルフボール程度のパターンに基づいた凹凸状態が望ましい。パターヘッドのフェースの加工、フェースのインサート、ロフト角、及びスイートスポットの設計といった項目は実施例１と同等が好ましい。
【符号の説明】
【００２４】  １０１・・・ゴルフボール、１０８・・・ボールの天頂、１０９・・・ボールの理想打点、２００・・・パター、２０１・・・シャフト、２０２・・・パターヘッド、２０３・・・グリップ、２０４・・・特定部位、２０５、２２７、７０６、８０６・・・フェース、２０６，２２８・・・テール、２０７・・・スイートスポット、２０８・・・クラウン、２０９・・・ソール、２１０・・・トゥ、２１１・・・ヒール、２２０・・・試験片、２２０Ａ・・・試験片を使用した試験において、特定部位に相当する試験片の部位、２２１・・・試験用パター（ピンタイプ）、２２２・・・シャフト部、２３１・・・試験用パター（フェースからテールまでが長いタイプ）、３０２・・・実施例２のパターヘッド、３０４・・・実施例２の特定部位、３０７・・・実施例２のスイートスポット、４０２・・・実施例３のパターヘッド、４０４・・・実施例３の特定部位、４０７・・・実施例３のスイートスポット、５０２・・・実施例４のパターヘッド、５０４・・・実施例４の特定部位、５０７・・・実施例４のスイートスポット、６０２・・・実施例５のパターヘッド、６０４・・・実施例５の特定部位、６０７・・・実施例５のスイートスポット、７０２・・・実施例６のパターヘッド、７０４・・・実施例６の特定部位、７０７・・・実施例６のスイートスポット、８０２・・・実施例７のパターヘッド、８０４・・・実施例７の特定部位、８０７・・・実施例７のスイートスポット、９０２・・・実施例８のパターヘッド、９０４・・・実施例８の特定部位、９０７・・・実施例８のスイートスポット【００２５】特定部位を模した試験片を使った試験
特定部位の有効性を確かめる為、様々な種類の試験片２２０を準備した。試験片２２０は形状や表面の異なるものだが何れも表面を特定部位２２０Ａとして見立て、試験用パターに組み込んだ。言うまでもなく、試験片２２０は試験用パター２２１のスイートスポットから特定部位２２０Ａのボール天頂と高さを合わせる個所までの寸法が、高さ方向に２１．３３５ｍｍの位置関係になる様に備えられている。ゴルフ経験により物体に対しての距離感が養われ優れている可能性を考慮し、試験結果の偏りを避けるため、ゴルフ経験の無い１０名の試験者に次の試験を行った。【００２６】  パッティングと似た図７のような前傾姿勢を取ってもらい、眼球から１メートル程度先のボール１０１と特定部位２２０Ａを備える試験片２２０を取り付けた試験用パター２２１を構えてもらった。試験用パター２２１のシャフト部２２２には図８の様に固定用冶具２２３を宛がい、試験者の合図で試験用パター２２１を固定できる様に準備した。試験者には自由に浮きの量を調整してもらい、目視によりボールの天頂１０８と特定部位２２０Ａが同じ高さになったと判断したところで試験用パター２２１を止め、試験者とは別の人員が試験用パター２２１を固定用冶具２２３の留め具２２４によって固定した。予めボールの天頂１０８の高さは図８のように固定用冶具２２３に取り付けられた副尺付き物差し２２５に印２２６が付けられており、試験片２２０と印２２６の関係を計測すればどの程度ボール天頂１０８に対して整列されたかを正確に測る事ができるようにした。水平器を付けた渡し板を用意し、特定部位２２０Ａから渡し板を水平に架けて、副尺付き物差し２２５を読み計測をする。このときの計測値は、特定部位２２０Ａが固定冶具２２３に付けられた印２２６に対して、高かった場合も低かった場合も絶対値として扱う事とした。【００２７】  １０名夫々には１０回の計測試験を行ってもらい、ボール天頂１０８の高さに付けられた印２２６と試験片２２０の距離を計測し平均値を算出した。このときのボール１０１と試験用パター２２１の位置関係は、アドレスのときに一般的に多く用いられる位置関係の、フェース２２７とボール１０１がほぼ接した状態とした。尚、試験片２２０にはＡ、Ｂ、Ｃ、Ｄ、Ｅ、Ｆ、Ｇの７つを準備し夫々に試験を行った。試験は一般的にゴルフ競技が開催される程度の明るさの晴れの屋外にて実施した。試験結果は図１０の通りである。尚、試験片Ａを備えた状態の試験用パターはパターヘッド２００に相当する。【００２８】  試験結果には程度の差はあるが何れの場合も０．８ｍｍまでに収まり高さを整列させる効果は十分に良好との結果を得る事ができた。また、７種類の試験片を用いた事で、本願発明は特定部位の色、模様、凹凸具合及び形状に依存することなく一定水準の整列効果を持っているものと判断する事ができる。【００２９】  試験結果から図１から図５で示すようなボールと同程度の半径（２１．３３５ｍｍ）の円柱の一部形状を含むもので、試験片Ａのような形状で特定部位の陰の発生具合がボールと同等になるものは、より高さの整列を行いやすく好適な事例であると言える。但し、本事例は本願発明を限定するものでは無い。【００３０】  合わせて、試験��果の良好だった試験片Ａを用いて、特定部位２２０Ａとボールの天頂１０８を整列する際にどの程度の距離まで十分な整列効果を発揮するかを測定する。フェース２２７とボールの理想打点１０９が基本的には距離が０ｍｍとして、図９の様にフェース２２７から試験片２２０の寸法をＬとする。Ｌの有効範囲の計測を行った。【００３１】  今回の計測は図９のようなフェース２２７からテール２２８まで寸法の長い試験用パター２３１に試験片Ａを特定部位として取り付けＬの値を段階的に大きくして試験を行った。試験結果は図１１の通りで、Ｌの値が０ｍｍに近いほど結果は良く１５０ｍｍの結果では試験者全員の平均値が１．８２ｍｍとなった。【００３２】  図１２の詳細は後述となるが、図１２の試験はボールを本願発明を施したピンタイプパターと標準的なピンタイプパターで実際にパッティングしたときの結果を記載している。図１２の「試験項目１」の「ショットマークに施した印よりズレた距離の平均値」の「標準的なピンタイプパター」の項目では、１０名の平均値は１．４６ｍｍとなっており、図１１の本願発明のＬの値が１５０ｍｍの試験より結果がよく、Ｌの値が１５０ｍｍになった場合はかえって整列効果が下がったと言える。この結果からＬの値は１２５ｍｍまでが十分に効果を発揮できる値と判断する事が出来た。【００３３】  実際のパッティングの効果の試験として、標準的なパター形状のピンタイプパターと本願発明の特定部位を設けたピンタイプパターを用意し、次の２つ項目を同時に試験した。尚、２つの試験にはゴルフ巧者１０名（ハンディキャップ０から９）に参加して貰った。試験は、フェース２２７にショットマークを張り付け、ボールインパクト時に試験者がフェースのどの場所にボール１０１が当たったのかが分かる状態にして行った。ショットマークとはゴルフクラブのフェースに一時的に張り付けるゴルフ用品で、感圧紙の裏側が粘着シートになっており、ボールがフェースに当たった場所が変色し、打痕が残るもので一般に販売されている。【００３４】  試験方法は、ボール１０球をパッティンググリーンにて、１０メートルの距離からホール（カップ）に向かってパッティングを行って貰い、ピンタイプパターと特定部位を設けたピンタイプパターの２本にてどの様な違いが出るかを確認した。【００３５】試験項目１  スイートスポットへのボール打痕の収束性試験
試験対象の２本のパターにはショットマークを貼った後、スイートスポットに収束すべき個所として印を付けた。前記の通り本願発明のパターは、パターヘッドに特定部位が取付られている状態となっている。尚、発明の目的はゴルフボールとパターの高さの整列なので、ズレた量のうちトゥヒール方向にズレた量は無視し、上下方向の値のみを抽出した。試験結果は図１２の試験項目１の通りである。試験結果からも明らかな通り、打痕は１０名全員が特定部位を設けたピンタイプパターの方が上下方向（浮き量）に纏まってた。これは、スイートスポットに競技者が容易にアドレスでき、正確に意図した場所で打つ事を補助したと言える。【００３６】  試験項目２  ボールの到達地点に対する残り距離測定試験
さらに、ボールの行方から実際に行ったパッティングの結果の評価を行った。狙ったホール（カップ）の淵から計測し、夫々のボールがどれだけ距離を残したのか１センチメートル単位の端数切り上げ（１．５センチメートルは２センチメートル）で合計を算出し、１０球の平均距離を求めた。
試験結果は同図１２の試験項目２の通りである。【００３７】  試験項目２は試験項目１のボールの打痕の纏まり具合と概ね比例して平均距離が短く、狙ったホール（カップ）に入った又は近づいた結果となった。従って特定部位を設けアドレス時の整列に活用した場合、パッティングにおいて良い結果が得られたと言える。尚、実施例の１〜８のいずれも各試験結果と同等の良い結果を得る事ができた。
本願発明を用いたパターを使用すると、ゴルフ競技者はアドレスを行うときに、ボールの天頂と図６の如くパターの特定部位を合わせる事で、容易にボールの理想打点とパターのスイートスポットを正しく整列する事ができた。既に述べた前提である、競技者の意図する距離をパッティングするための高さの整列を、本願発明は容易に実現した。
【図１】
2020028697.tif 000003
【図２】
2020028697.tif 000004
【図３】
2020028697.tif 000005
【図４】
2020028697.tif 000006
【図５】
2020028697.tif 000007
【図６】
2020028697.tif 000008
【図７】
2020028697.tif 000009
【図８】
2020028697.tif 000010
【図９】
2020028697.tif 000011
【図１０】
2020028697.tif 000012
【図１１】
2020028697.tif 000013
【図１２】
2020028697.tif 000014
【図１３】
2020028697.tif 000015
【図１４】
2020028697.tif 000016
【図１５】
2020028697.tif 000017
【図１６】
2020028697.tif 000018
【図１７】
2020028697.tif 000019
【図１８】
2020028697.tif 000020
【図１９】
2020028697.tif 000021
【図２０】
2020028697.tif 000022
【図２１】
2020028697.tif 000023
【図２２】
2020028697.tif 000024
【図２３】
2020028697.tif 000025